(57)【要約】【課題】コスト高とならず安価にでき、中継装置が置かれた現場において、故障箇所の確認ができ、原因の特定を行いやすくすることができるネットワーク監視システムを提供する。【解決手段】ネットワーク監視システムは、複数のハブが接続されたネットワークの接続状態を監視する監視サーバ１０を備え、ＮＥＴＢＯＸ４０Ａ〜４０Ｃの各ハブには、該ハブに接続されている端末５０Ａ〜５０Ｃ及び該ハブに接続されている他のハブ及び監視サーバ１０と双方向通信を行うパケット送受信部と、双方向通信の結果、該端末５０Ａ〜５０Ｃ、前記他のハブ及び監視サーバとの接続状態が異常か否かを判定する判定部と、判定部が判定した結果を表示する表示装置を備える。【選択図】図１
2011097226.tif 000002
【特許請求の範囲】
【請求項１】
複数の中継装置が接続されたネットワークの接続状態を監視する監視装置を備えたネットワーク監視システムにおいて、
各中継装置には、該中継装置に接続されている端末及び該中継装置に接続されている他の中継装置及び前記監視装置と双方向通信を行う通信手段と、双方向通信の結果、該端末、前記他の中継装置及び前記監視装置との接続状態が異常か否かを判定する判定手段と、該判定手段が判定した結果を表示する表示手段とを備えたことを特徴とするネットワーク監視システム。
【請求項２】
前記表示手段は、当該中継装置に接続されている他の中継装置、端末、及び監視装置（以下、接続機器という）の接続状態であって、前記判定手段が異常と判定した接続機器に対しては異常の接続状態の表示を行い、前記判定手段が正常と判定した接続機器に対しては、正常表示を行うことを特徴とする請求項１に記載のネットワーク監視システム。
【請求項３】
前記表示手段は、当該中継装置に接続されている全ての接続機器の接続状態を表示することを特徴とする請求項２に記載のネットワーク監視システム。
【請求項４】
前記判定手段が、当該中継装置に接続されている他の中継装置又は監視装置との接続状態を異常と判定した場合は、前記表示手段は、異常と判定された他の中継装置又は監視装置に関する表示領域を異常の旨を表わす第１表示態様で表示し、
前記判定手段が、当該中継装置に接続されている端末との接続状態が異常と判定した場合は、前記表示手段は、異常と判定された端末に関する表示領域を異常の旨を表わす第２表示態様で表示することを特徴とする請求項１乃至請求項３のうちいずれか１項に記載のネットワーク監視システム。
【請求項５】
前記中継装置には、前記判定手段が異常と判定したとき、警告を行う警告手段を備えることを特徴とする請求項１乃至請求項３のうちいずれか１項に記載のネットワーク監視システム。
【請求項６】
前記通信手段は、前記判定手段の判定結果を、当該中継装置に係る接続機器との接続状態として前記監視装置に送信し、
前記監視装置は、各中継装置の通信手段から受信した判定結果に基づいて、各中継装置における接続機器の接続状態を表示する監視表示手段を備えることを特徴とする請求項１乃至請求項５のうちいずれか１項に記載のネットワーク監視システム。
【発明の詳細な説明】
【技術分野】
【０００１】
本発明は、ネットワーク監視装置に関する。
【背景技術】
【０００２】
コンピュータネットワークの利用技術の発展に伴い、多数の端末等が、ハブを介してネットワークに接続されるようになり、ネットワークシステムの大規模化が進んでいる。従来からネットワーク管理を行うために、マネージャとエージェント間でデータを交換するプロトコルとしてＳＮＭＰが広く用いられている。
【０００３】
ＳＮＭＰを用いたネットワーク管理システムは、管理データの収集が、ネットワーク管理装置から送信されたＧｅｔリクエストパケット又はＧｅｔ−Ｎｅｘｔリクエストパケットに対して、インテリジェントハブ等の管理機能付のネットワーク機器がＧｅｔレスポンスパケットを返信することによって行なわれている（特許文献１、以下、この技術を従来技術１という）。
【０００４】
例えば、図１０（ａ）に示す従来例では、ネットワークを監視する管理サーバ１００は、前述のＧｅｔリクエストパケット又はＧｅｔ−Ｎｅｘｔリクエストパケットを、ネットワークに設けられた各インテリジェントハブ１０１，１０２、ハブ１０３，１０４等に対して送信し、各インテリジェントハブ１０１，１０２等は、その要求に対応した情報を含むＧｅｔレスポンスパケットを管理サーバ１００に返信する。
【０００５】
又、図１０（ｂ）に示す従来例のネットワークでは、スイッチハブ２０１〜２０４（中継器）が互いに接続されており、各ハブには、該ハブに接続された端末（図示しない）、或いは他の中継器との通信状態を監視する状態検出器３００が設けられている。そして、各ハブは、状態検出器３００が検出した端末、或いはハブとの接続状態を管理サーバ２００に送信して、管理サーバ２００で、ネットワーク全体を監視するようにされている（従来技術２）。
【０００６】
図１０（ｃ）に示す従来例では、従来例２の構成のハブ、管理サーバ等を含む機器の接続を、多重化したネットワークにて行うものである（従来例３）。このように多重化したネットワークでは、図示しない切替え機により、所望するネットワーク系で、通信を行うことができる。
【先行技術文献】
【特許文献】
【０００７】
【特許文献１】特開平７−１４７５７８号公報
【発明の概要】
【発明が解決しようとする課題】
【０００８】
従来例１〜３のネットワーク監視システムでは、集中管理であるため管理サーバ１００，２００でネットワーク全体を監視することができる。すなわち、通信異常が生じた場合、管理サーバ１００，２００により通信異常が生じたハブを特定することができる。
【０００９】
しかし、作業者が、通信異常が生じているハブを探す場合、従来は、ネットワークが構築されている建物（例えば工場）等の広い範囲に置かれている各ハブを個別に探すことになる。そして、作業者が、実際に通信異常が生じているハブかどうかは、現地において特定できない問題があった。又、従来例１では、インテリジェントハブを使用していることから、インテリジェントハブが通常のスイッチハブと比較して高価であるため、ネットワークがコスト高となる問題がある。
【００１０】
本発明の目的は、コスト高とならず安価にでき、中継装置が置かれた現場において、故障箇所の確認ができ、原因の特定を行いやすくすることができるネットワーク監視システムを提供することにある。
【課題を解決するための手段】
【００１１】
上記問題点を解決するために、請求項１に記載の発明は、複数の中継装置が接続されたネットワークの接続状態を監視する監視装置を備えたネットワーク監視システムにおいて、各中継装置には、該中継装置に接続されている端末及び該中継装置に接続されている他の中継装置及び前記監視装置と双方向通信を行う通信手段と、双方向通信の結果、該端末、前記他の中継装置及び前記監視装置との接続状態が異常か否かを判定する判定手段と、該判定手段が判定した結果を表示する表示手段とを備えたことを特徴とするネットワーク監視システムを要旨とするものである。
【００１２】
請求項２の発明は、請求項１において、前記表示手段は、当該中継装置に接続されている他の中継装置、端末、及び監視装置（以下、接続機器という）の接続状態であって、前記判定手段が異常と判定した接続機器に対しては異常の接続状態の表示を行い、前記判定手段が正常と判定した接続機器に対しては、正常表示を行うことを特徴とする。
【００１３】
請求項３の発明は、請求項２において、前記表示手段は、当該中継装置に接続されている全ての接続機器の接続状態を表示することを特徴とする。
請求項４の発明は、請求項１乃至請求項３のうちいずれか１項において、前記判定手段が、当該中継装置に接続されている他の中継装置又は監視装置との接続状態を異常と判定した場合は、前記表示手段は、異常と判定された他の中継装置又は監視装置に関する表示領域を異常の旨を表わす第１表示態様で表示し、前記判定手段が、当該中継装置に接続されている端末との接続状態が異常と判定した場合は、前記表示手段は、異常と判定された端末に関する表示領域を異常の旨を表わす第２表示態様で表示することを特徴とする。
【００１４】
請求項５の発明は、請求項１乃至請求項３のうちいずれか１項において、前記中継装置には、前記判定手段が異常と判定したとき、警告を行う警告手段を備えることを特徴とする。
【００１５】
請求項６の発明は、請求項１乃至請求項５のうちいずれか１項において、前記通信手段は、前記判定手段の判定結果を、当該中継装置に係る接続機器との接続状態として前記監視装置に送信し、前記監視装置は、各中継装置の通信手段から受信した判定結果に基づいて、各中継装置における接続機器の接続状態を表示する監視表示手段を備えることを特徴とする。
【発明の効果】
【００１６】
請求項１の発明によれば、通信異常があった場合、中継装置に設けられた表示手段に当該中継装置に接続されている接続機器との接続状態が表示されるため、インテリジェントハブを使用する必要がなく、そのためコスト高とならず安価にでき、中継装置が置かれた現場において、故障箇所の確認ができ、原因の特定を行いやすくすることができる。
【００１７】
請求項２の発明によれば、当該中継装置に接続されている接続機器との間の接続状態が正常、又は異常の接続状態の表示により、故障箇所の特定がしやすくなる。
請求項３の発明によれば、当該中継装置に接続されている全ての接続機器の接続状態が、正常又は異常かの表示により、当該中継装置に接続されている全ての接続機器の接続状態の状況が分かる。
【００１８】
請求項４の発明によれば、他の中継装置又は監視装置と当該中継装置、或いは端末と当該中継装置との接続状態が異常の場合、それぞれ異常の旨を表わす表示態様が異なるため、接続機器の種類に応じ、接続状態の異常の旨を表示することができる。
【００１９】
請求項５の発明によれば、警告手段の警告により、異常判定が行われた中継装置を特定することが容易にできる。
請求項６の発明によれば、監視装置の監視表示手段において、各中継装置における接続機器との接続状態が分かり、作業者は、監視装置の監視表示手段で、各中継装置における接続機器の接続状態を監視することができる。
【図面の簡単な説明】
【００２０】
【図１】本発明を具体化した一実施形態のネットワーク監視システムの概略図。
【図２】ＮＥＴＢＯＸの一部分解した概略斜視図。
【図３】（ａ）は、監視サーバの概略機能ブロック図、（ｂ）は、ＮＥＴＢＯＸの概略機能ブロック図、（ｃ）は端末の概略機能ブロック図。
【図４】ＮＥＴＢＯＸの表示装置の表示画面の説明図。
【図５】監視サーバの表示装置の表示画面の説明図。
【図６】（ａ）はネットワークの概略図、（ｂ１）〜（ｄ１）はＮＥＴＢＯＸ配置マップ上におけるＮＥＴＢＯＸＡ，Ｂ，Ｃの接続状態表示を示す説明図、（ｂ２）〜（ｄ２）は、各ＮＥＴＢＯＸの稼働状況の表示を示す説明図、（ｂ３）〜（ｄ３）は、各ＮＥＴＢＯＸの表示装置の表示状態を示す説明図。
【図７】（ａ）は端末に異常発生があったときのネットワークの概略図、（ｂ１）〜（ｄ１）は端末に異常発生があったときのＮＥＴＢＯＸ配置マップ上におけるＮＥＴＢＯＸＡ，Ｂ，Ｃの接続状態表示を示す説明図、（ｂ２）〜（ｄ２）は、端末に異常発生があったときの各ＮＥＴＢＯＸの稼働状況の表示を示す説明図、（ｂ３）〜（ｄ３）は、端末に異常発生があったときの各ＮＥＴＢＯＸの表示装置の表示状態を示す説明図。
【図８】（ａ）はＮＥＴＢＯＸに異常発生があったときのネットワークの概略図、（ｂ１）〜（ｄ１）はＮＥＴＢＯＸに異常発生があったときのＮＥＴＢＯＸ配置マップ上におけるＮＥＴＢＯＸＡ，Ｂ，Ｃの接続状態表示を示す説明図、（ｂ２）〜（ｄ２）はＮＥＴＢＯＸに異常発生があったときの各ＮＥＴＢＯＸの稼働状況の表示を示す説明図、（ｂ３）〜（ｄ３）は、ＮＥＴＢＯＸに異常発生があったときの各ＮＥＴＢＯＸの表示装置の表示状態を示す説明図。
【図９】（ａ）はＮＥＴＢＯＸ間に断線があったときのネットワークの概略図、（ｂ１）〜（ｄ１）はＮＥＴＢＯＸ間に断線があったときのＮＥＴＢＯＸ配置マップ上におけるＮＥＴＢＯＸＡ，Ｂ，Ｃの接続状態表示を示す説明図、（ｂ２）〜（ｄ２）は、ＮＥＴＢＯＸ間に断線があったときの各ＮＥＴＢＯＸの稼働状況の表示を示す説明図、（ｂ３）〜（ｄ３）は、ＮＥＴＢＯＸ間に断線があったときの各ＮＥＴＢＯＸの表示装置の表示状態を示す説明図。
【図１０】（ａ）〜（ｃ）は、従来のネットワーク監視システムの概略図。
【発明を実施するための形態】
【００２１】
以下、本発明のネットワーク監視システムを具体化した一実施形態を図１〜図９を参照して説明する。
図１に示すネットワークは、監視装置としての監視サーバ１０と、ＮＥＴＢＯＸ（ネットボックス）４０Ａ〜４０Ｃ等が複数個互いに接続されている。又、ＮＥＴＢＯＸ４０Ａ〜４０Ｃ等には、それぞれ端末５０Ａ〜５０Ｃ等が接続されている。
【００２２】
ＮＥＴＢＯＸ４０Ａ〜４０Ｃは、構成が同じであるため、ＮＥＴＢＯＸ４０Ａについて説明し、他のＮＥＴＢＯＸについては説明を省略する。図２に示すようにＮＥＴＢＯＸ４０Ａは、ハブ２０とＰＣ３０（パーソナルコンピュータ）を含む構成である。ハブとＰＣとの組合せにより、ハブ・ＰＣユニットが構成されている。
【００２３】
監視サーバ１０・ハブ間、ハブ同士間、及びハブ・端末間の伝送路１５はイーサネット（登録商標）規格の通信線、例えば、１０ＢＡＳＥ−Ｔ、１００ＢＡＳＥ−ＴＸ、１０００ＢＡＳＥ−Ｔ規格のツイストペアケーブルからなる。
【００２４】
監視サーバ１０は、コンピュータからなり、図３（ａ）に示すように、監視部１１、稼働状態記憶部１２、パケット送受信部１３、及び監視表示手段としての監視表示装置１４を備える。
【００２５】
監視部１１は、図示しない記憶装置に格納された接続状態監視プログラムを実行して各ＮＥＴＢＯＸ間と双方向通信を行う。具体的には、監視部１１は、定期的に接続状態確認要求ソケットをパケット送受信部１３を介して、各ＮＥＴＢＯＸのＰＣ（パーソナルコンピュータ）３０にソケット通信を用いて送信する。パケット送受信部１３には、ＬＡＮカードが含まれる。なお、前記双方向通信は、全二重通信と、半二重通信のいずれで行ってもよい。
【００２６】
ここで、ソケット通信のソケットとは、ＯＳＩ参照モデルのＴＣＰ／ＩＰネットワーク内のトランスポート層上でのプロセス間通信によるデータ送受信を行うアプリケーションプログラムを作成するためのＡＰＩ（アプリケーション・プログラミング・インタフェース）であって、ソケット通信は、ソケットを利用した通信のことである。ソケット通信の送信元及び送信先にはＩＰアドレス、ポート番号が使用される。
【００２７】
監視部１１は、各ＮＥＴＢＯＸから、各ＮＥＴＢＯＸの自配下の端末等の接続状態情報を取得し、該接続状態情報を稼働状態記憶部１２に格納する。又、監視部１１は、ＮＥＴＢＯＸ間の通信の双方向通信に基づいて各ＮＥＴＢＯＸ間の接続状態情報を生成し、該接続状態情報を稼働状態記憶部１２に格納する。ここで、監視サーバ１０とＮＥＴＢＯＸとの間の双方向通信が行える場合には、接続状態情報を「正常」とし、ＮＥＴＢＯＸ間の双方向通信を行えない場合には、接続状態情報を「異常」とする。
【００２８】
そして、監視部１１は、稼働状態記憶部１２に格納した各ＮＥＴＢＯＸ及び各ＮＥＴＢＯＸ配下の端末の接続状態情報に基づいて、監視表示装置１４に表示する。図５は、監視表示装置１４の表示画面を示している。前記表示画面は同図に示すようにネットワークのマップを示すマップ表示領域１４０、ネットワーク監視情報表示領域１５０、ＮＥＴＢＯＸ一覧表示領域１６０、ＮＥＴＢＯＸ稼働状況表示領域１７０を有する。
【００２９】
マップ表示領域１４０では、監視対象のネットワーク上の監視サーバ１０、稼働しているＮＥＴＢＯＸ、端末、及び各種サーバが、絵柄、例えば、四角ボックスで表示されていて、各絵柄が、実際のネットワークと同等となるように線で連結表示されている。図５では、Ｏが監視サーバであり、Ａ〜ＧはＮＥＴＢＯＸを示す。
【００３０】
監視サーバ１０と当該絵柄に対応するＮＥＴＢＯＸ間の接続状態情報が「正常」の場合には、前記絵柄は、「緑」等の正常表示色で表示される。
又、当該絵柄に対応するＮＥＴＢＯＸの配下の端末、及びＮＥＴＢＯＸについての接続状態情報が「異常」の場合には、前記絵柄は、前記正常表示色とは異なる「橙」等の第２異常表示色で表示される。
【００３１】
又、監視サーバ１０と当該絵柄に対応するＮＥＴＢＯＸ間の接続状態情報が「異常」の場合には、前記絵柄は、前記正常表示色、及び、前記配下の端末についての接続状態情報が「異常」の場合の第２異常表示色とは異なる色である、例えば「赤」等の第１異常表示色で表示される。なお、正常表示色は、例えば「緑」以外に、「青」等がある。正常表示色と、第１異常表示色、第２異常表示色は互いに異なる色であれば、前述した色に限定されるものではない。
【００３２】
なお、図６（ｂ１）〜（ｄ１）、（ｂ２）〜（ｄ２）、（ｂ３）〜（ｄ３）、図７（ｂ１）〜（ｄ１）、（ｂ２）〜（ｄ２）、（ｂ３）〜（ｄ３）、図８（ｂ１）〜（ｄ１）、（ｂ２）〜（ｄ２）、（ｂ３）〜（ｄ３）においては、右ハッチング部分の領域は、第１異常表示色で表示されていることを示し、左ハッチング部分の領域は、第２異常表示色で表示されていることを示し、ハッチング表示されていない領域は、正常表示色で表示されていることを示す。
【００３３】
ネットワーク監視情報表示領域１５０は、ネットワーク上のＮＥＴＢＯＸ稼働数、監視設備稼働数、及び監視タイミングのデータが表示される領域であり、各データは、予め図示しない入力装置等により設定された上で表示される。
【００３４】
ＮＥＴＢＯＸ一覧表示領域１６０は、ネットワーク上にある全ＮＥＴＢＯＸを表示可能な領域であり、ＮＥＴＢＯＸ名の表示欄１６２と、ＮＥＴＢＯＸのＩＰアドレスの表示欄１６４が組となっている。又、画面上の上方向表示移動ボタン１６６を図示しないマウスでクリックする毎に、上側位置にして表示されていない他のＮＥＴＢＯＸ名と、そのＩＰアドレスが順次表示される。又、画面上の下方向表示移動ボタン１６８を図示しないマウスでクリックする毎に、下側位置にして表示されていない他のＮＥＴＢＯＸ名と、そのＩＰアドレスが順次表示される。
【００３５】
ＮＥＴＢＯＸ稼働状況表示領域１７０は、前記ＮＥＴＢＯＸ一覧において、選択されたＮＥＴＢＯＸに関する詳細情報を表示する表示領域１７２，１７４，１７５を含む。
表示領域１７２に表示される詳細情報は、ＮＥＴＢＯＸ一覧表示領域１６０において図示しないカーソルで選択された際に、該選択されたＮＥＴＢＯＸ名、当該ＮＥＴＢＯＸに接続している他のＮＥＴＢＯＸ名、或いは監視サーバ名、及び当該ＮＥＴＢＯＸの配下の設備名を含む。
【００３６】
ここで、表示領域１７２の筆頭欄には、ＮＥＴＢＯＸ一覧表示領域１６０において図示しないカーソルで選択された際に、該選択されたＮＥＴＢＯＸ名が表示される。例えば、図５の表示例では、ＮＥＴＢＯＸ一覧表示領域１６０において、ＮＥＴＢＯＸＢが選択されており、そのため、ＮＥＴＢＯＸ稼働状況表示領域１７０の筆頭欄には、ＮＥＴＢＯＸＢが表示されている。
【００３７】
表示領域１７４に表示される詳細情報は、前記選択されたＮＥＴＢＯＸ、当該ＮＥＴＢＯＸと他のＮＥＴＢＯＸ、或いは監視サーバ、及び当該ＮＥＴＢＯＸの配下の設備のＩＰアドレスである。又、表示領域１７５に表示される詳細情報は、前記選択された当該ＮＥＴＢＯＸの自局状態（すなわち、当該ＮＥＴＢＯＸと他のＮＥＴＢＯＸ、或いは監視サーバとの接続状態）、及び当該ＮＥＴＢＯＸの配下の設備の状況（すなわち、配下の設備との接続状態）である。すなわち、表示領域１７５には、「正常」、「異常」、「不明」のいずれかが表示される。
【００３８】
又、画面上の上方向表示移動ボタン１７６を図示しないマウスでクリックする毎に、上側位置にして表示されていない他の機器名と、そのＩＰアドレス、及び接続状態が順次表示される。又、画面上の下方向表示移動ボタン１７８を図示しないマウスでクリックする毎に、下側位置にして表示されていない他の機器名と、そのＩＰアドレス、及び接続状態が順次表示される。
【００３９】
図３（ｂ）は、ＮＥＴＢＯＸ、すなわち、ハブ２０及びＰＣ３０の機能ブロックを示している。
ハブ２０は、図３（ｂ）に示すようにパケットの交換（ポート間データ転送）を行うスイッチング部２２、データ送受信を行う各ポートに設けられているネットワークインタフェース２４ａ〜２２ｄ、及び転送データを一時保存するバッファ２３を含むスイッチングハブから構成されている。
【００４０】
ハブ２０は、前記ポートに接続された伝送路１５を介して監視サーバ１０、及び他のハブに接続されるとともに、複数の端末（図１では、説明の便宜上、１つの端末５０Ａのみ図示）との集配線を行う。スイッチング部２２は、入力ポートの状態を監視して、他の通信に悪影響を与える状態となったときに、当該入力ポートを切り離したり、或いは、所定時間後に再接続したりする等の公知のスイッチング機能を有する。ハブ２０は、中継装置に相当する。
【００４１】
図２に示すように、ハブ２０には、テーブルタップ２８が設けられ、該テーブルタップ２８を介して、ハブ２０及びＰＣ３０に電力を供給する。前記ハブ２０、テーブルタップ２８、及びＰＣ３０はボックス状のケース２４に収納されている。なお、説明の便宜上、図２では、ＰＣ３０はケース２４から分離した状態で示されている。
【００４２】
ＰＣ３０は、図示しないＣＰＵ、ＲＯＭ、ＲＡＭ等を有し、機能ブロックで示すと、図２に示すように、ＰＣ３０は、ハブ２０のポートに接続されてパケット送受信を行う通信手段としてのパケット送受信部３２、判定手段としての判定部３４、及び警告手段としての表示装置３６を含む。又、ＰＣ３０には警告手段としてのブザー３８が接続されている。パケット送受信部３２には、ＬＡＮカードが含まれる。
【００４３】
ＰＣ３０は、ＴＣＰ／ＩＰネットワークを診断するプログラム（ｐｉｎｇ：Packet  Internet  Groper）を図示しない読み出し書換可能な記憶手段（ＲＡＭ、ハードディスク等）に格納している。又、該記憶手段には、当該ハブ２０がポートを介して接続している監視サーバ１０、配下の接続機器等の接続機器名、及びそのＩＰアドレスが互いに関連づけて記憶されている。
【００４４】
判定部３４（すなわち、ＣＰＵ）は、該プログラム（ソフト）により、ＩＣＭＰ（Internet Control Message Protocol ）を使って、パケット送受信部３２を介して定期的に、当該ＮＥＴＢＯＸのハブ２０に接続されている他のＮＥＴＢＯＸのＰＣ、及び末端設備（端末等）にそのＩＰアドレスを指定して、パケット送受信部３２を介して「エコー要求」を送信し、該末端設備（端末等）から、その「エコー要求」に対する応答があるか否か、応答がある場合には、「エコー要求」の送信からどのくらい応答時間がかかっているかを探索し（以下、これを通信監視という）、ネットワークを診断する。
【００４５】
そして、判定部３４は、判定結果（診断結果）を図示しない書換読み出し可能なハードディスク、メモリ等の記憶部３５に格納する。判定結果としては、閾値以内の応答時間で応答があれば、「正常」の判定結果であり、応答がないか、或いは、閾値以上の応答時間を要していれば（以下、これらをまとめて「応答無し」という）、「異常」の判定結果となる。これらの判定結果は、接続状態情報に相当する。
【００４６】
又、判定部３４は、監視サーバ１０から、前記接続状態確認要求ソケットをパケット送受信部３２を介して受信した場合、当該ＮＥＴＢＯＸの自配下の端末等の接続状態情報を、監視サーバ１０に対してパケット送受信部３２を介して送信する。
【００４７】
次に、表示装置３６について説明する。表示装置３６は、表示画面上にタッチパネルを有する。図４は、表示装置３６の表示画面３６ａを示している。表示画面３６ａの背景領域４１内には、自局端末番号の表示領域４２、接続状態表示領域４３、設定ボタン４４が設けられている。
【００４８】
又、表示画面３６ａの背景領域４１内には、接続機器のリスト順位欄４５、ハブ２０が双方通信を行うようにポートに接続された複数の接続機器の名前欄領域４６、及び該接続機器のＩＰアドレス表示領域４７を１組として複数組が設けられている。表示画面３６ａには、当該ハブ２０が接続する全ての接続機器の表示が可能なようにリスト順位欄４５、名前欄領域４６、ＩＰアドレス表示領域４７が用意されている。
【００４９】
自局端末番号は、監視サーバ１０で設定して定義され、監視サーバ１０からの通知に基づいて、ＰＣ３０の制御により表示装置３６は表示領域４２にその端末番号を表示する。
接続状態表示領域４３は、監視サーバ１０との定期的なソケット通信の結果、監視サーバ１０との通信が定期的に正常に行えた場合は、正常表示色が表示され、監視サーバ１０との通信が定期的に正常に行えていない場合は、第１異常表示色が判定部３４により表示制御される。なお、監視サーバ１０との通信が異常となった場合、第１異常表示色の代わりに、接続状態表示領域４３を点滅をするようにしてもよい。
【００５０】
設定ボタン４４の領域が作業者によりタッチされると、表示装置３６は、図示しない設定画面読に切替え表示される。なお、設定画面については、本発明の要部ではないため、詳細説明を省略するが、この設定画面に切替え表示された状態で、当該ＮＥＴＢＯＸのハブ２０に接続されている監視対象の監視サーバ１０、伝送路１５で接続されている他のＮＥＴＢＯＸ及び配下の監視対象の接続機器、並びにそのＩＰアドレスが互いに関連付けて登録設定される。又、設定画面では、前記他のネットサーバ、及び配下の監視対象の接続機器に対する監視時間間隔（すなわち、監視タイム）が、接続機器毎に関連づけて設定されて、前記記憶手段に記憶される。判定部３４は、接続危機毎に前記監視時間間隔で定期的に、ＩＣＭＰを使って、前述したように通信監視し、ネットワークを診断し、その診断結果に基づいて表示装置３６を制御する。
【００５１】
監視サーバ１０間、又はＮＥＴＢＯＸ間との定期的なソケット通信の結果、その通信が正常に行えた場合は、正常表示として、背景領域４１の色の変化がないとともに、監視サーバ名、又はＮＥＴＢＯＸ名が表示されて、組を構成するリスト順位欄４５、名前欄領域４６、及びＩＰアドレス表示領域４７の背景（該領域における名、ＩＰアドレスを示す文字、数字以外の部分、以下同じ）には色の変化がないようにしている。
【００５２】
又、監視サーバ１０間、又はＮＥＴＢＯＸ間との定期的なソケット通信の結果、その通信に異常があった場合は、異常表示として、背景領域４１の色の変化があるようにしている。又、同時に、監視サーバ名、又はＮＥＴＢＯＸ名が表示されて、組を構成するリスト順位欄４５、名前欄領域４６、及びＩＰアドレス表示領域４７の背景は、異常を示す色が判定部３４の制御により表示される。
【００５３】
背景領域４１の色が、例えば正常時は赤色以外の色としたとき、前記異常表示としては、赤色等の警告色に変化するようにする。
又、判定部３４の制御により、組を構成するリスト順位欄４５、名前欄領域４６、及びＩＰアドレス表示領域４７において、文字を浮かび上がらせている背景の色が、赤、橙以外の色としたとき、前記異常表示として橙色の警告色に変化する。なお、色の変化は、限定されるものではないが、正常時の色から、人が警告色と認識可能な色の変化が好ましい。
【００５４】
又、当該ＮＥＴＢＯＸと配下の接続機器（例えば、端末）間の定期的な通信監視により、判定部３４が「異常」と判定した際には、判定部３４は、当該接続機器に関するリスト順位欄４５、名前欄領域４６、及びＩＰアドレス表示領域４７の背景の色を赤色等の警告色に変化させる。なお、ＮＥＴＢＯＸと配下の接続機器（例えば、端末）間の定期的な通信監視によって、判定部３４は、通信「異常」と判定した場合、背景領域４１の色の変化はなく正常のときと同じ色にする。
【００５５】
又、監視サーバ１０間、又はＮＥＴＢＯＸ間との定期的なソケット通信の結果において、異常となった場合、及び当該ＮＥＴＢＯＸと配下の接続機器（例えば、端末）間の定期的な通信監視により、判定部３４が「異常」と判定した際には、判定部３４は、ブザー３８を鳴動させる。
【００５６】
次に、ＮＥＴＢＯＸ４０Ａの配下に接続した接続機器としての端末５０Ａについて説明する。図３（ｃ）は、端末５０Ａの概略機能ブロック図である。同図に示すように、端末５０Ａは、パケット送受信部５２、当該端末の各種処理部５４、及び表示装置５６を含む。又、パケット送受信部５２には、ＬＡＮカードが含まれる。端末５０Ａのパケット送受信部５２は、ＮＥＴＢＯＸ４０Ａのハブ２０から送信された「エコー要求」を受信すると、その「エコー要求」に対する応答をパケット送受信部５２を介して、ＮＥＴＢＯＸ４０Ａに送信する。
【００５７】
（実施形態の作用）
さて、上記のように構成された、ネットワーク監視システムの作用を図６〜９を参照して説明する。なお、説明の便宜上、図６（ａ）に示すネットワークでは、監視サーバ１０には伝送路１５を介してＮＥＴＢＯＸ４０Ａ〜４０Ｃが接続され、各ＮＥＴＢＯＸ４０Ａ〜４０Ｃには、接続機器として端末５０Ａ〜５０Ｃが伝送路１５により接続されているものとする。
【００５８】
又、説明の便宜上、図６〜図９の（ｂ２）〜（ｄ２）、（ｂ３）〜（ｄ３）においては、ＮＥＴＢＯＸＡ〜Ｃは、それぞれＮＥＴＢＯＸ４０Ａ〜４０Ｃを意味するものとし、端末Ｎｏ．１〜端末Ｎｏ．３はそれぞれ端末５０Ａ〜５０Ｃを意味するものとする。
【００５９】
このネットワークにおいて、ＮＥＴＢＯＸ４０Ａ〜４０Ｃは、通信監視により、他のＮＥＴＢＯＸ、及び配下の各端末５０Ａ〜５０Ｃ間の接続を、端末５０Ａ〜５０Ｃからの応答の有無にて判定し、その結果を接続状態情報としてＰＣ３０の記憶部３５に格納する。
【００６０】
一方、監視サーバ１０の監視部１１は、定期的に、接続状態確認要求ソケットをパケット送受信部１３を介して、各ＮＥＴＢＯＸ４０Ａ〜４０ＣのＰＣ３０にソケット通信を用いて送信し、各ＮＥＴＢＯＸ４０Ａ〜４０ＣのＰＣ３０から、記憶部３５に記憶している接続状態情報を取得し、稼働状態記憶部１２に記憶する。
【００６１】
又、監視部１１は、ＮＥＴＢＯＸ間の通信の双方向通信に基づいて、監視サーバ１０とＮＥＴＢＯＸとの間の双方向通信が行える場合には、監視サーバ１０とＮＥＴＢＯＸ間の接続状態情報を「正常」とし、ＮＥＴＢＯＸ間の双方向通信を行えない場合には、監視サーバ１０とＮＥＴＢＯＸ間の接続状態情報を「異常」として判定し、稼働状態記憶部１２にその接続状態情報を記憶する。
【００６２】
（１．ネットワークが正常時）
図６（ｂ１）〜（ｄ１）は、ネットワーク上で、いずれの通信の接続も正常に行われている場合、監視表示装置１４のマップ表示領域１４０において、ＮＥＴＢＯＸＡ〜Ｃを示す四角ボックスの絵柄が、監視部１１により接続状態情報に基づいて正常表示色（例えば、「緑色」）で表示される。
【００６３】
図６（ｂ２）〜（ｄ２）は、ネットワーク上で、いずれの通信の接続も正常に行われた場合の、監視表示装置１４におけるＮＥＴＢＯＸ稼働状況表示領域１７０のＮＥＴＢＯＸ４０Ａ（図６（ｂ２）では、ＮＥＴＢＯＸＡ）、ＮＥＴＢＯＸ４０Ｂ（図６（ｃ２）では、ＮＥＴＢＯＸＢ）、及びＮＥＴＢＯＸ４０Ｃ（図６（ｄ２）では、ＮＥＴＢＯＸＣ）に関する表示を示している。
【００６４】
なお、この表示例は、それぞれ、ＮＥＴＢＯＸ一覧表示領域１６０において、ＮＥＴＢＯＸＡ，Ｂ，Ｃがそれぞれ選択されたものである。以下、後述する図７〜８で示す例においても同様である。
【００６５】
同図に示すように、ＮＥＴＢＯＸ稼働状況表示領域１７０の表示領域１７５では、「正常」の表示がされている。
又、図６（ｂ３）〜（ｄ３）は、ネットワーク上で、いずれの通信の接続も正常に行われた場合のＮＥＴＢＯＸ４０Ａ〜４０Ｃにおける表示装置３６の表示画面３６ａを示している。同図に示すように、いずれの表示装置３６においても正常表示を行い、異常表示を行っていない状態となる。
【００６６】
（２．端末が異常の場合）
次に、ＮＥＴＢＯＸ４０Ｂの配下の端末との通信接続が「異常」の場合について図７を参照して説明する。なお、説明の便宜上、（１．ネットワークが正常時）の場合と異なる部分について説明する。
【００６７】
この場合、ＮＥＴＢＯＸ４０Ｂは、通信監視により、端末５０Ｂ間の接続が「異常」の判定結果を接続状態情報としてＰＣ３０の記憶部３５に格納し、監視サーバ１０に対してその接続状態情報を送信する。
【００６８】
従って、ＮＥＴＢＯＸ４０Ｂからの接続状態情報に基づいて監視サーバ１０の監視部１１の制御により、図７（ｃ１）に示すように監視表示装置１４のマップ表示領域１４０では、ＮＥＴＢＯＸＢを示す四角ボックスの絵柄は、第２異常表示色（図では「橙」）で表示される。
【００６９】
又、監視部１１の制御により、ＮＥＴＢＯＸ稼働状況表示領域１７０では、図７（ｃ２）に示すように、端末Ｎｏ．２の表示領域１７２、１７４、表示領域１７５は、第２異常表示色に表示され、表示領域１７５には、「異常」の表示がされる。
【００７０】
又、図７（ｃ３）に示すように、ＮＥＴＢＯＸ４０Ｂにおける表示装置３６の表示画面３６ａでは、判定部３４により端末Ｎｏ．２（端末５０Ｂ）の、リスト順位欄４５、名前欄領域４６、ＩＰアドレス表示領域４７の背景が第１異常表示色で表示される。又、このとき、ＮＥＴＢＯＸ４０Ｂの判定部３４は、ブザー３８を鳴動する。
【００７１】
このため、作業者は、監視サーバ１０の監視表示装置１４でマップ表示領域１４０及びＮＥＴＢＯＸ稼働状況表示領域１７０の表示を確認し、さらに、当該異常があった、ＮＥＴＢＯＸ４０Ｂの表示画面３６ａを確認することにより、端末５０Ｂの異常であることを容易に確認できる。
【００７２】
（３．ＮＥＴＢＯＸが異常の場合）
次に、監視サーバ１０とＮＥＴＢＯＸ４０Ｂとの通信接続が「異常」の場合について図８を参照して説明する。なお、この「異常」は、ＮＥＴＢＯＸ４０Ｂのハブ２０における通信異常である。なお、説明の便宜上、（１．ネットワークが正常時）の場合と異なる部分について説明する。
【００７３】
この場合、ＮＥＴＢＯＸ４０Ａは、ＮＥＴＢＯＸ４０Ｂとの通信監視により、ＮＥＴＢＯＸ４０Ｂ間の接続が「異常」の判定結果を接続状態情報としてＰＣ３０の記憶部３５に格納し、監視サーバ１０に対してその接続状態情報を送信する。
【００７４】
このため、ＮＥＴＢＯＸ４０Ａからの接続状態情報に基づいて監視サーバ１０の監視部１１の制御により、図８（ｂ１）に示すように、監視表示装置１４のマップ表示領域１４０では、ＮＥＴＢＯＸＡを示す四角ボックスの絵柄は、第２異常表示色（図では「橙」）で表示される。
【００７５】
又、監視部１１の制御により、ＮＥＴＢＯＸ稼働状況表示領域１７０では、図８（ｂ２）に示すように、ＮＥＴＢＯＸ４０Ｂ（ＮＥＴＢＯＸＢ）の表示領域１７２、１７４、１７５は、第２異常表示色に表示され、表示領域１７５には、「異常」の表示がされる。
【００７６】
又、図８（ｂ３）に示すように、ＮＥＴＢＯＸ４０Ａにおける表示装置３６の表示画面３６ａでは、ＮＥＴＢＯＸ４０Ｂ（ＮＥＴＢＯＸＢ）の、リスト順位欄４５、名前欄領域４６、ＩＰアドレス表示領域４７の背景が第１異常表示色（図では「赤」）で表示される。
【００７７】
又、監視サーバ１０は、ＮＥＴＢＯＸ４０Ｂ間、及びＮＥＴＢＯＸ４０Ｃ間の双方向通信が行えないため、ＮＥＴＢＯＸ４０Ｂ間、ＮＥＴＢＯＸ４０Ｃ間の接続状態情報をそれぞれ「異常」とする。
【００７８】
このため、ＮＥＴＢＯＸ４０Ａからの接続状態情報に基づいて監視サーバ１０の監視部１１の制御により、図８（ｃ１）、（ｄ１）に示すように、監視表示装置１４のマップ表示領域１４０では、ＮＥＴＢＯＸ４０Ｂ，４０Ｃ（ＮＥＴＢＯＸＢ，Ｃ）を示す四角ボックスの絵柄は、第１異常表示色（図では「赤」）で表示される。
【００７９】
又、監視部１１の制御により、ＮＥＴＢＯＸ稼働状況表示領域１７０では、図８（ｃ２）、（ｄ２）に示すように、ＮＥＴＢＯＸ４０Ｂ（ＮＥＴＢＯＸＢ）、４０Ｃ（ＮＥＴＢＯＸＣ）の表示領域１７２、１７４、表示領域１７５は、第１異常表示色に表示され、表示領域１７５には、「異常」の表示がされる。
【００８０】
又、監視サーバ１０の監視部１１は、ＮＥＴＢＯＸ４０Ｂにおける他の接続機器との接続状態情報が得られないため、ＮＥＴＢＯＸＡ，Ｃ、監視サーバ１０、端末Ｎｏ．２（端末５０Ｂ）の表示領域１７５に「不明」を表示する。
【００８１】
又、監視サーバ１０の監視部１１は、ＮＥＴＢＯＸ４０Ｃにおける他の接続機器との接続状態情報が得られないため、ＮＥＴＢＯＸＢ、監視サーバ１０、端末Ｎｏ．３（端末５０Ｃ）の表示領域１７５に「不明」を表示する。
【００８２】
又、図８（ｃ３）に示すように、ＮＥＴＢＯＸ４０Ｂにおける表示装置３６の表示画面３６ａでは、ＮＥＴＢＯＸ４０ＢのＰＣ３０は、監視サーバ１０、ＮＥＴＢＯＸ４０Ａ，４０Ｃ、及び端末Ｎｏ．２（端末５０Ｂ）との通信ができないため、それらのリスト順位欄４５、名前欄領域４６、ＩＰアドレス表示領域４７の背景が判定部３４により第１異常表示色で表示される。又、図８（ｃ３）に示すように、同時に、接続状態表示領域４３及び背景領域４１も第１異常表示色で表示される。又、このとき、ＮＥＴＢＯＸ４０Ｂの判定部３４は、ブザー３８を鳴動する。
【００８３】
又、図８（ｄ３）に示すように、ＮＥＴＢＯＸ４０Ｃにおける表示装置３６の表示画面３６ａでは、ＮＥＴＢＯＸ４０ＣのＰＣ３０は、監視サーバ１０との通信ができないため、監視サーバ１０のリスト順位欄４５、名前欄領域４６、ＩＰアドレス表示領域４７の背景が、判定部３４により第１異常表示色で表示される。又、図８（ｄ３）に示すように、同時に、接続状態表示領域４３及び背景領域４１も第１異常表示色で表示される。合わせて、判定部３４により、ブザー３８が鳴動する。
【００８４】
このため、作業者は、監視サーバ１０の監視表示装置１４でマップ表示領域１４０及びＮＥＴＢＯＸ稼働状況表示領域１７０の表示を確認し、さらに、当該異常があった、ＮＥＴＢＯＸ４０Ｂを中心にそのＮＥＴＢＯＸ４０Ｂに隣接して接続されたＮＥＴＢＯＸ４０Ａ，４０Ｃの表示画面３６ａを確認することにより、ＮＥＴＢＯＸ４０Ｂのハブ２０に異常があることを容易にＮＥＴＢＯＸ４０Ｂが配置された現場で確認できる。
【００８５】
（４．ＮＥＴＢＯＸ間の伝送路１５が異常の場合）
次に、図９（ａ）に示すように、ＮＥＴＢＯＸ４０ＢとＮＥＴＢＯＸ４０Ｃ間で伝送路１５に断線等の障害による接続異常があった場合を図９を参照して説明する。なお、説明の便宜上、（１．ネットワークが正常時）の場合と異なる部分について説明する。
【００８６】
この場合、監視サーバ１０は、ＮＥＴＢＯＸ４０Ａ間、ＮＥＴＢＯＸ４０Ｂ間の双方向通信が可能であるが、ＮＥＴＢＯＸ４０Ｃ間の双方向通信が行えないため、ＮＥＴＢＯＸ４０Ｃ間の接続状態情報を「異常」とする。
【００８７】
このため、ＮＥＴＢＯＸ４０Ｃ間の接続状態情報の「異常」に基づいて監視サーバ１０の監視部１１の制御により、図９（ｄ１）に示すように、監視表示装置１４のマップ表示領域１４０では、ＮＥＴＢＯＸＣを示す四角ボックスの絵柄は第１異常表示色（図では「赤」）で表示される。
【００８８】
又、ＮＥＴＢＯＸ４０Ｂは、ＮＥＴＢＯＸ４０Ｃとの通信監視により、ＮＥＴＢＯＸ４０Ｃ間の接続が「異常」の判定結果を接続状態情報としてＰＣ３０の記憶部３５に格納し、監視サーバ１０に対してその接続状態情報を送信する。
【００８９】
このため、ＮＥＴＢＯＸ４０Ｂからの接続状態情報に基づいて監視サーバ１０の監視部１１の制御により、図９（ｃ１）に示すように、監視表示装置１４のマップ表示領域１４０では、ＮＥＴＢＯＸＢを示す四角ボックスの絵柄は、第２異常表示色（図では「橙」）で表示される。
【００９０】
又、監視部１１の制御により、ＮＥＴＢＯＸ稼働状況表示領域１７０では、図９（ｃ２）に示すように、ＮＥＴＢＯＸ４０Ｂ（ＮＥＴＢＯＸＢ）については、ＮＥＴＢＯＸ４０Ｃ（ＮＥＴＢＯＸＣ）の表示領域１７２、１７４、表示領域１７５は、第２異常表示色に表示され、表示領域１７５には「異常」の表示がされる。
【００９１】
又、監視部１１の制御により、ＮＥＴＢＯＸ稼働状況表示領域１７０では、図９（ｄ２）に示すように、ＮＥＴＢＯＸ４０Ｃ（ＮＥＴＢＯＸＣ）については、ＮＥＴＢＯＸ４０Ｃ（ＮＥＴＢＯＸＣ）の表示領域１７２、１７４、表示領域１７５は、第１異常表示色に表示され、表示領域１７５には「異常」の表示がされる。
【００９２】
又、監視サーバ１０の監視部１１は、ＮＥＴＢＯＸ４０Ｃにおける他の接続機器との接続状態情報が得られないため、ＮＥＴＢＯＸＢ、監視サーバ１０、端末Ｎｏ．３（端末５０Ｃ）の表示領域１７５に「不明」を表示する。
【００９３】
又、図９（ｃ３）に示すように、ＮＥＴＢＯＸ４０Ｂにおける表示装置３６の表示画面３６ａでは、ＮＥＴＢＯＸ４０ＢのＰＣ３０がＮＥＴＢＯＸ４０Ｃとの通信ができないため、そのリスト順位欄４５、名前欄領域４６、ＩＰアドレス表示領域４７の背景が判定部３４により第１異常表示色で表示される。又、図９（ｃ３）に示すように、同時に、接続状態表示領域４３及び背景領域４１も第１異常表示色で表示される。又、このとき、ＮＥＴＢＯＸ４０Ｂの判定部３４は、ブザー３８を鳴動する。
【００９４】
又、図９（ｄ３）に示すように、ＮＥＴＢＯＸ４０Ｃにおける表示装置３６の表示画面３６ａでは、ＮＥＴＢＯＸ４０ＣのＰＣ３０は、監視サーバ１０及びＮＥＴＢＯＸ４０Ｂとの通信ができないため、監視サーバ１０、及びＮＥＴＢＯＸ４０Ｂ（ＮＥＴＢＯＸＢ）のリスト順位欄４５、名前欄領域４６、ＩＰアドレス表示領域４７の背景が判定部３４により第１異常表示色で表示される。又、図９（ｄ３）に示すように、同時に、接続状態表示領域４３及び背景領域４１も第１異常表示色で表示される。合わせて、ＮＥＴＢＯＸ４０Ｃの判定部３４により、ブザー３８が鳴動する。
【００９５】
このため、作業者は、監視サーバ１０の監視表示装置１４でマップ表示領域１４０及びＮＥＴＢＯＸ稼働状況表示領域１７０の表示を確認し、さらに、当該異常があった、ＮＥＴＢＯＸ４０Ｃを中心にそのＮＥＴＢＯＸ４０Ｃに隣接して接続されたＮＥＴＢＯＸ４０Ｂの表示画面３６ａを確認することにより、ＮＥＴＢＯＸ４０Ｂ、ＮＥＴＢＯＸ４０Ｃ間の伝送路１５に異常があることを容易にＮＥＴＢＯＸ４０Ｂ，４０Ｃが配置された現場で確認できる。
【００９６】
本実施形態によれば、下記の特徴がある。
（１）  本実施形態のネットワーク監視システムは、複数のハブ２０（中継装置）が接続されたネットワークの接続状態を監視する監視サーバ１０（監視装置）を備えている。そして、前記各ハブ２０には、該ハブ２０に接続されている端末５０Ａ〜５０Ｃ及び該ハブ２０に接続されている他のハブ及び監視サーバ１０と双方向通信を行うパケット送受信部３２（通信手段）と、双方向通信の結果、該端末５０Ａ〜５０Ｃ、前記他のハブ２０及び監視サーバ１０との接続状態が異常か否かを判定する判定部３４（判定手段）と、判定部３４が判定した結果を表示する表示装置３６（表示手段）を備える。
【００９７】
この結果、本実施形態によれば、通信異常があった場合、ハブ２０に設けられた表示装置３６に当該ハブに接続されている接続機器との接続状態が表示されるため、コスト高とならず安価にでき、ハブが置かれた現場において、故障箇所の確認ができ、原因の特定を行いやすくすることができる。
【００９８】
（２）  本実施形態のネットワーク監視システムは、表示装置３６（表示手段）は、当該ハブ２０に接続されている他のハブ、端末、及び監視サーバ１０の接続状態であって、判定部３４が異常と判定した接続機器に対しては異常の接続状態の表示を行い、判定部３４が正常と判定した接続機器に対しては、正常表示を行う。この結果、本実施形態によれば、当該ハブに接続されている接続機器との間の接続状態が正常、又は異常の接続状態の表示により、故障箇所の特定がしやすくなる。
【００９９】
（３）  本実施形態のネットワーク監視システムは、表示装置３６（表示手段）は、当該ハブに接続されている全ての接続機器の接続状態を表示する。
この結果、本実施形態によれば、当該ハブ２０に接続されている全ての接続機器の接続状態が、正常又は異常かの表示により、当該ハブに接続されている全ての接続機器の接続状態の状況が分かる。
【０１００】
（４）  本実施形態のネットワーク監視システムは、判定部３４（判定手段）が、当該ハブ２０に接続されている他のハブ又は監視サーバ１０との接続状態を異常と判定した場合は、表示装置３６（表示手段）は、異常と判定された他のハブ又は監視サーバ１０に関する表示領域を異常の旨を表わす第１表示態様で表示する。すなわち、図７の端末異常の例では、図７（ｃ３）に示すように、端末Ｎｏ．２（端末５０Ｂ）の、リスト順位欄４５、名前欄領域４６、ＩＰアドレス表示領域４７の背景が第１異常表示色で表示するが、背景領域４１の表示は変化しない。この表示態様は第１表示態様に相当する。
【０１０１】
一方、判定部３４（判定手段）が、当該ハブ２０に接続されている端末との接続状態が異常と判定した場合は、表示装置３６（表示手段）は、異常と判定された端末に関する表示領域を異常の旨を表わす第２表示態様で表示する。
【０１０２】
すなわち、図９の例では、図９（ｃ３）に示すように、ＮＥＴＢＯＸＣのリスト順位欄４５、名前欄領域４６、ＩＰアドレス表示領域４７の背景が第１異常表示色で表示するとともに、背景領域４１の表示を第１異常表示色で表示する。この表示態様は第２表示態様に相当する。このように第１表示態様と第２表示態様とは、背景領域４１が第１異常表示色で表示するか否かが異なる。
【０１０３】
この結果、本実施形態によれば、他のハブ又は監視サーバ１０と当該ハブ２０、或いは端末と当該ハブとの接続状態が異常の場合、それぞれ異常の旨を表わす表示態様が異なるため、接続機器の種類に応じ、接続状態の異常の旨を表示することができる。
【０１０４】
（５）  本実施形態のネットワーク監視システムは、ハブ２０（中継装置）には、判定部３４（判定手段）が異常と判定したとき、警告を行う表示装置３６、及びブザー３８（警告手段）を備える。
【０１０５】
この結果、本実施形態によれば、表示装置３６、及びブザー３８の警告により、異常判定が行われたハブを特定することが容易にできる。
（６）  本実施形態のネットワーク監視システムは、パケット送受信部３２（通信手段）は、判定部３４（判定手段）の判定結果を、当該ハブ２０に係る接続機器との接続状態として監視サーバ１０（監視装置）に送信し、監視サーバ１０は、各ハブ２０のパケット送受信部３２（通信手段）から受信した判定結果に基づいて、各ハブ２０における接続機器の接続状態を表示する監視表示装置１４（監視表示手段）を備える。
【０１０６】
この結果、本実施形態によれば、監視サーバ１０の監視表示装置１４において、各ハブにおける接続機器との接続状態が分かり、作業者は、監視サーバ１０の監視表示装置１４で、各ハブにおける接続機器の接続状態を監視することができる。
【０１０７】
なお、本発明は前記実施形態に限定されるものではなく、下記のようにしてもよい。
・  前記実施形態では、ＮＥＴＢＯＸのＰＣは、当該ＮＥＴＢＯＸのハブ２０に接続されている他のＮＥＴＢＯＸのＰＣ、及び末端設備（端末等）にそのＩＰアドレスを指定して、パケット送受信部３２を介して「エコー要求」を送信し、該末端設備（端末等）から、その「エコー要求」に対する応答があるか否か、応答がある場合には、「エコー要求」の送信からどのくらい応答時間がかかっているかを探索し、ネットワークを診断するようにした。これに代えて、ＮＥＴＢＯＸのハブ２０に接続されている他のＮＥＴＢＯＸのＰＣ、及び末端設備（端末等）間を、監視サーバ１０が行っているソケット通信で、定期的に、接続状態確認要求ソケットを要求するようにしてもよい。
【０１０８】
・  又、監視サーバ１０とＮＥＴＢＯＸのＰＣ間で、前述の「通信監視」を行うようにしてもよい。
・  前記実施形態において、ブザー３８を省略してもよい。
【０１０９】
・  前記実施形態では、ハブをスイッチングハブとしたが、リピータハブとしてもよい。
・  前記実施形態では、中継装置として、ハブとしたが、ルータ、或いはブリッジであってもよい。
【０１１０】
・  前記実施形態では、表示画面３６ａの第１異常表示色の表示は、リスト順位欄４５、名前欄領域４６、ＩＰアドレス表示領域４７の全ての領域で表示するようにしたが、いずれか１つ或いは２つを組み合わせて第１異常表示色で表示するようにしてもよい。
【符号の説明】
【０１１１】
１０…監視サーバ（監視装置）、１１…監視部、
１４…監視表示装置（監視表示手段）、２０…ハブ（中継装置）、
３２…パケット送受信部（通信手段）、３４…判定部（判定手段）、
３６…表示装置（表示手段、警告手段）、３８…ブザー（警告手段）。
【図１】
2011097226.tif 000003
【図２】
2011097226.tif 000004
【図３】
2011097226.tif 000005
【図４】
2011097226.tif 000006
【図５】
2011097226.tif 000007
【図６】
2011097226.tif 000008
【図７】
2011097226.tif 000009
【図８】
2011097226.tif 000010
【図９】
2011097226.tif 000011
【図１０】
2011097226.tif 000012